(57)【特許請求の範囲】
【請求項１】
放射線源から照射され、被検者を透過した放射線を検出して該被検者の放射線画像を撮影する放射線検出器のキャリブレーション処理を実施する放射線撮影装置であって、
前記放射線検出器に含まれる欠陥画素の位置情報を保持する欠陥画素情報保持部と、
前記放射線画像を複数の処理領域に分割する領域分割部と、
前記欠陥画素の位置情報に基づいて、複数の前記処理領域のうち、前記欠陥画素を含む処理領域よりも、該欠陥画素を含まない処理領域に対するキャリブレーション処理の実施頻度を低く設定し、それぞれの前記処理領域について、前記キャリブレーション処理を順次実施する処理実施部とを備え、
前記欠陥画素情報保持部は、前記キャリブレーション処理の実施により取得された新たな欠陥画素の位置情報に応じて、前記欠陥画素の位置情報を更新するものであり、
前記領域分割部は、更新された前記欠陥画素の位置情報に基づいて、前記新たな欠陥画素を含む処理領域を、さらに、２以上の処理領域に分割するものであることを特徴とする放射線撮影装置。
【請求項２】
前記領域分割部は、前記新たな欠陥画素を含む処理領域を、前記欠陥画素を含む処理領域と、該欠陥画素を含まない処理領域とに分割するものである請求項１に記載の放射線撮影装置。
【請求項３】
前記領域分割部は、前記放射線画像を、均等な大きさの複数の矩形の処理領域に分割するものである請求項１または２に記載の放射線撮影装置。
【請求項４】
前記領域分割部は、前記放射線画像を、それぞれが任意の大きさの複数の矩形の処理領域に分割するものである請求項１または２に記載の放射線撮影装置。
【請求項５】
前記領域分割部は、前記放射線画像を、それぞれが同数のラインを含む複数の矩形の処理領域に分割するものである請求項１または２に記載の放射線撮影装置。
【請求項６】
前記領域分割部は、前記放射線画像を、中央部の処理領域と、周辺部の処理領域とに分割するものであり、
前記処理実施部は、前記欠陥画素の位置情報に基づいて前記キャリブレーション処理の実施頻度を設定することに加えて、前記周辺部の処理領域よりも、前記中央部の処理領域に対するキャリブレーション処理の実施頻度を低く設定するものである請求項１または２に記載の放射線撮影装置。
【請求項７】
さらに、各々の前記処理領域について、前記キャリブレーション処理の実施状況を表示する状況表示部を備える請求項１〜６のいずれかに記載の放射線撮影装置。
【請求項８】
さらに、前記放射線画像の撮影履歴情報を記録する履歴記録部と、
前記キャリブレーション処理を複数の単位処理に分割する処理分割部と、
前記撮影履歴情報に基づいて、前記放射線画像の撮影終了から次の撮影開始までの空き時間の期間を計算し、それぞれの前記単位処理が該空き時間の期間内に実施可能かどうかを判定して、それぞれの前記処理領域について、それぞれの前記単位処理の実施タイミングを該空き時間の期間内に割り当てる処理割当部とを備え、
前記処理実施部は、それぞれの前記処理領域について、それぞれの前記単位処理を、それぞれの該単位処理に割り当てられた空き時間の期間内の実施タイミングで実施するものである請求項１〜７のいずれかに記載の放射線撮影装置。
【請求項９】
前記キャリブレーション処理は、種類の異なる複数のキャリブレーションを実施することを含み、
前記処理分割部は、前記キャリブレーションの種類を前記単位処理として、前記キャリブレーション処理を分割するものである請求項８に記載の放射線撮影装置。
【請求項１０】
前記キャリブレーションは、撮影条件の異なる複数の撮影モードを実施することを含み、
前記処理分割部は、前記撮影モードを前記単位処理として、前記キャリブレーション処理を分割するものである請求項９に記載の放射線撮影装置。
【請求項１１】
前記領域分割部は、前記放射線画像を、前記空き時間の期間に対応する大きさの処理領域に分割するものである請求項８〜１０のいずれかに記載の放射線撮影装置。
【請求項１２】
前記領域分割部は、前記放射線画像を、当該放射線撮影装置の処理能力に対応する大きさの処理領域に分割するものである請求項８〜１０のいずれかに記載の放射線撮影装置。
【請求項１３】
前記領域分割部は、ユーザにより入力装置を介して入力された指示に従って、前記放射線画像を複数の前記処理領域に分割するものであり、
前記処理割当部は、前記ユーザにより入力された指示に従って、それぞれの前記処理領域について、それぞれの前記単位処理の実施タイミングを割り当てるものである請求項８〜１２のいずれかに記載の放射線撮影装置。
【発明の詳細な説明】
【技術分野】
【０００１】
本発明は、放射線源から照射され、被検者を透過した放射線を検出して被検者の放射線画像を撮影する放射線検出器のキャリブレーション処理を実施する放射線撮影装置に関するものである。
【背景技術】
【０００２】
放射線撮影装置では、診断に適した放射線画像を得るために、撮影前に放射線検出器のキャリブレーション処理を行う必要がある。従来、キャリブレーション処理は、撮影のワークフローに関係なく、撮影装置単独の運用に基づいて実施されていた。従って、キャリブレーション処理の実施中に撮影要求が発生すると、キャリブレーション処理が終了するまで待たなければならず、すぐに撮影を行うことができずに患者の待ち時間負担や業務効率の低下につながっていた。
【０００３】
また、キャリブレーション処理は、目的に応じて、種類の異なる複数のキャリブレーション、例えば、オフセット補正のためのキャリブレーション、欠陥補正（欠陥画素補正）のためのキャリブレーション等を実施する必要がある。また、同じ補正処理のためのキャリブレーションであっても、撮影条件の異なる複数の撮影モードでキャリブレーションを実施する必要がある。そのため、これら一連のキャリブレーション処理が終了するまでには多くの時間を必要とする。
【０００４】
これらの対策として、例えば、キャリブレーション処理の実施中に撮影要求が発生した場合に、実施中のキャリブレーション処理を中止して撮影実施可能とする撮影装置が考えられる。しかし、このような撮影装置では、本来実施すべきキャリブレーション処理が実施されない状態で撮影が行われることになるため、撮影された放射線画像の品質を保証できなくなるという問題がある。
【０００５】
ここで、本発明に関連性のある先行技術文献として、特許文献１，２がある。
【０００６】
特許文献１には、間欠的に行なわれるＸ線撮影の非撮影期間において得られた複数枚の暗時画像データを加算平均処理してオフセット補正データを生成し、この順次生成されるオフセット補正データの中の最新のオフセット補正データを保存し、撮影期間において得られた各々の画像データと最新のオフセット補正データとの減算処理によりオフセット補正を行うＸ線診断装置が記載されている。
【０００７】
また、特許文献２には、基準画像Ｐｒｅｆを複数の分割領域ＤＲに分割し、例えば、基準画像Ｐｒｅｆを中央領域ＣＲと周辺領域ＡＲとに分割し、例えば、中央領域ＣＲよりも、被写体を介さずに直接放射線が照射される場合が多く光導電層の結晶化が進みやすい周辺領域ＡＲを多い頻度で選択し、キャリブレーション処理を行う放射線画像処理装置が記載されている。
【先行技術文献】
【特許文献】
【０００８】
【特許文献１】特開２００６−７５３５９号公報
【特許文献２】特開２０１０−１７２０９号公報
【発明の概要】
【発明が解決しようとする課題】
【０００９】
本発明の目的は、キャリブレーション処理の実施中に撮影要求が発生した場合であっても、撮影までの待ち時間を短縮することができる放射線撮影装置を提供することにある。
【課題を解決するための手段】
【００１０】
上記目的を達成するために、本発明は、放射線源から照射され、被検者を透過した放射線を検出して該被検者の放射線画像を撮影する放射線検出器のキャリブレーション処理を実施する放射線撮影装置であって、
前記放射線検出器に含まれる欠陥画素の位置情報を保持する欠陥画素情報保持部と、
前記放射線画像を複数の処理領域に分割する領域分割部と、
前記欠陥画素の位置情報に基づいて、複数の前記処理領域のうち、前記欠陥画素を含む処理領域よりも、該欠陥画素を含まない処理領域に対するキャリブレーション処理の実施頻度を低く設定し、それぞれの前記処理領域について、前記キャリブレーション処理を順次実施する処理実施部とを備え、
前記欠陥画素情報保持部は、前記キャリブレーション処理の実施により取得された新たな欠陥画素の位置情報に応じて、前記欠陥画素の位置情報を更新するものであり、
前記領域分割部は、更新された前記欠陥画素の位置情報に基づいて、前記新たな欠陥画素を含む処理領域を、さらに、２以上の処理領域に分割するものであることを特徴とする放射線撮影装置を提供するものである。
【００１１】
ここで、前記領域分割部は、前記新たな欠陥画素を含む処理領域を、前記欠陥画素を含む処理領域と、該欠陥画素を含まない処理領域とに分割するものであることが好ましい。
【００１２】
また、前記領域分割部は、前記放射線画像を、均等な大きさの複数の矩形の処理領域に分割するものであることが好ましい。
【００１３】
また、前記領域分割部は、前記放射線画像を、それぞれが任意の大きさの複数の矩形の処理領域に分割するものであることが好ましい。
【００１４】
また、前記領域分割部は、前記放射線画像を、それぞれが同数のラインを含む複数の矩形の処理領域に分割するものであることが好ましい。
【００１５】
また、前記領域分割部は、前記放射線画像を、中央部の処理領域と、周辺部の処理領域とに分割するものであり、
前記処理実施部は、前記欠陥画素の位置情報に基づいて前記キャリブレーション処理の実施頻度を設定することに加えて、前記周辺部の処理領域よりも、前記中央部の処理領域に対するキャリブレーション処理の実施頻度を低く設定するものであることが好ましい。
【００１６】
さらに、各々の前記処理領域について、前記キャリブレーション処理の実施状況を表示する状況表示部を備えることが好ましい。
【００１７】
さらに、前記放射線画像の撮影履歴情報を記録する履歴記録部と、
前記キャリブレーション処理を複数の単位処理に分割する処理分割部と、
前記撮影履歴情報に基づいて、前記放射線画像の撮影終了から次の撮影開始までの空き時間の期間を計算し、それぞれの前記単位処理が該空き時間の期間内に実施可能かどうかを判定して、それぞれの前記処理領域について、それぞれの前記単位処理の実施タイミングを該空き時間の期間内に割り当てる処理割当部とを備え、
前記処理実施部は、それぞれの前記処理領域について、それぞれの前記単位処理を、それぞれの該単位処理に割り当てられた空き時間の期間内の実施タイミングで実施するものであることが好ましい。
【００１８】
また、前記キャリブレーション処理は、種類の異なる複数のキャリブレーションを実施することを含み、
前記処理分割部は、前記キャリブレーションの種類を前記単位処理として、前記キャリブレーション処理を分割するものであることが好ましい。
【００１９】
また、前記キャリブレーションは、撮影条件の異なる複数の撮影モードを実施することを含み、
前記処理分割部は、前記撮影モードを前記単位処理として、前記キャリブレーション処理を分割するものであることが好ましい。
【００２０】
また、前記領域分割部は、前記放射線画像を、前記空き時間の期間に対応する大きさの処理領域に分割するものであることが好ましい。
【００２１】
また、前記領域分割部は、前記放射線画像を、当該放射線撮影装置の処理能力に対応する大きさの処理領域に分割するものであることが好ましい。
【００２２】
また、前記領域分割部は、ユーザにより入力装置を介して入力された指示に従って、前記放射線画像を複数の前記処理領域に分割するものであり、
前記処理割当部は、前記ユーザにより入力された指示に従って、それぞれの前記処理領域について、それぞれの前記単位処理の実施タイミングを割り当てるものであることが好ましい。
【発明の効果】
【００２３】
本発明によれば、新たな欠陥画素を含む処理領域を、さらに、２以上の処理領域に分割することにより、次回のキャリブレーション処理の実施時に、欠陥画素を含む処理領域を小さくし、その処理量を大幅に削減することができる。
【００２４】
それぞれの処理領域のキャリブレーション処理は、放射線画像の全領域を一括でキャリブレーション処理する場合と比べて短時間で終了する。キャリブレーション処理の実施中に撮影要求が発生した場合でも、短時間でキャリブレーション処理が終了して撮影可能な状態となるため、撮影までの待ち時間を短縮することができる。また、一度に処理するデータ量が少ないので、処理能力が小さい放射線撮影装置でも短時間で実施可能である。
【００２５】
一方、撮影を行うために、キャリブレーション処理を途中で中止すると、中止した処理領域についてはキャリブレーション処理が未実施の状態となるが、キャリブレーション処理が既に終了した処理領域については実施済みの状態となる。そのため、高品質な放射線画像を撮影することができるとともに、放射線画像の全領域についてキャリブレーション処理を最初からやり直す必要はなく、中止した処理領域から再開することができる。
【図面の簡単な説明】
【００２６】
【図１】本発明に係る放射線撮影システムの構成を表す第１実施形態のブロック図である。
【図２】図１に示す撮影装置の構成を表す一例のブロック図である。
【図３】図２に示す制御装置の構成を表す一例のブロック図である。
【図４】一連のキャリブレーション処理の流れを表す一例のフローチャートである。
【図５】図１に示す放射線撮影システムの動作を表す一例のフローチャートである。
【図６】従来の放射線撮影システムの動作を表す一例のフローチャートである。
【図７】第２実施形態の放射線撮影システムで用いられる制御装置の構成を表す一例のブロック図である。
【図８】放射線画像を、均等な大きさの９個の矩形の処理領域に分割した様子を表す一例の概念図である。
【図９】放射線画像を、同数のラインを含む均等な大きさの３個の矩形の処理領域に分割した様子を表す一例の概念図である。
【図１０】放射線画像を、欠陥画素を含む処理領域と、欠陥画素を含まない処理領域とに分割した様子を表す一例の概念図である。
【図１１】放射線画像を、中央部の処理領域と、周辺部の処理領域とに分割した様子を表す一例の概念図である。
【図１２】従来の放射線撮影システムにおいて、キャリブレーション処理が実施される様子を表した概念図である。
【図１３】第２実施形態の放射線撮影システムにおいて、キャリブレーション処理が実施される様子を表した概念図である。
【発明を実施するための形態】
【００２７】
以下に、添付の図面に示す好適実施形態に基づいて、本発明の放射線撮影装置を詳細に説明する。
【００２８】
図１は、本発明に係る放射線撮影システムの構成を表す第１実施形態のブロック図である。同図に示す放射線撮影システム１０は、放射線源から照射され、被検者を透過した放射線を検出して被検者の放射線画像を撮影する放射線検出器のキャリブレーション処理を、放射線画像の撮影が行われていない２以上の異なる期間に分けて実施するものであって、複数の放射線撮影装置１２（１２ａ、１２ｂ、…）と、サーバ１４、１５とによって構成されている。
【００２９】
各々の放射線撮影装置１２（１２ａ、１２ｂ、…）は、同図に示すように、撮影装置１８（１８ａ、１８ｂ、…）と、コンソール２０（２０ａ、２０ｂ、…）とによって構成されている。そして、全ての放射線撮影装置１２の撮影装置１８およびコンソール２０、ならびに、サーバ１４、１５は、病院内ネットワーク１６を介して相互に接続され、互いに通信が可能となっている。
【００３０】
図２は、図１に示す撮影装置の構成を表す一例のブロック図である。各々の撮影装置１８（１８ａ、１８ｂ、…）は、各々対応するコンソール２０（２０ａ、２０ｂ、…）の制御により、被検者３６の放射線画像を撮影するものであり、放射線源２２と、吊り下げ装置２４と、放射線制御装置２６と、撮影台２８と、放射線検出器３０と、移動装置３２と、制御装置３４とを備えている。
【００３１】
放射線源２２は、放射線制御装置２６の制御により、被検者３６の放射線画像の撮影時に、所定強度の放射線を所定の時間だけ照射する。つまり、所定の照射量（線量）の放射線を照射する。放射線源２２は、吊り下げ装置２４により、撮影室の天井から吊り下げられている。放射線源２２の位置および高さは、撮影部位に応じて、吊り下げ装置２４により、手動で自由に調節することができる。
【００３２】
放射線制御装置２６は、制御装置３４の制御により、撮影条件に応じて、放射線源２２の動作（放射線の照射開始、照射強度、照射時間等）を制御する。
【００３３】
図示例の撮影台２８は、臥位撮影台であって、放射線画像の撮影時に、被検者３６を位置決めするための台である。なお、撮影台２８として、立位撮影台を使用することもできる。放射線検出器３０は、撮影台２８の下側に配置されている。
【００３４】
放射線検出器３０は、例えば、フラットパネル型のもの（ＦＰＤ：フラットパネルディテクタ）であり、放射線源２２から照射され、被検者３６を透過した放射線を検出することにより、被検者３６が撮影された放射線画像の画像信号（画像データ）を出力する。放射線検出器３０は、撮影部位に応じて、制御装置３４により制御される移動装置３２により、図２中左右方向の任意の位置に移動することができる。
【００３５】
制御装置３４は、コンソール２０の制御により、撮影装置１８全体の動作を制御するものである。制御装置３４は、放射線画像の撮影時に、コンソール２０から送信される撮影条件を放射線制御装置２６に設定し、放射線画像の撮影を制御する。また、制御装置３４は、放射線画像の撮影が行われていない期間に、放射線検出器３０の一連のキャリブレーション処理を実施する。さらに、制御装置３４は、撮影された放射線画像に対してオフセット補正、欠陥補正、ゲイン補正、残像補正等を含む各種の補正処理を実施する。
【００３６】
図３は、図２に示す制御装置の構成を表すブロック図である。制御装置３４は、同図に示すように、履歴記録部３８と、処理分割部４０と、処理割当部４２と、処理実施部４４と、警告発生部４６とを備えている。なお、同図では、説明を容易にする目的で、放射線画像の撮影を制御する部分の記載を省略し、キャリブレーション処理の実施を制御する部分だけを表している。
【００３７】
履歴記録部３８は、放射線画像の撮影履歴情報として、撮影、放射線源２２の移動、放射線検出器３０の移動等を含む各処理の開始時間および終了時間を記録する。また、撮影履歴情報として、被検者３６が変わったか否か、どの撮影メニューからどの撮影メニューに移行したか、撮影技師は誰か、忙しい時間帯か、同じ目的の放射線撮影装置１２が同時に何台稼働していたか、被検者３６の年齢等の情報を記録してもよい。
【００３８】
履歴記録部３８は、例えば、曜日別に１０週間程度の撮影履歴情報を収集する。撮影履歴情報の収集タイミングは、例えば、毎日の装置の起動時もしくは終了時であるが、撮影技師からの要求に応じて撮影履歴情報の収集を開始してもよい。
【００３９】
処理分割部４０は、キャリブレーション処理を複数の単位処理に分割する。本実施形態では、後述するように、キャリブレーション処理を、キャリブレーションの種類（オフセット補正のためのキャリブレーション、欠陥補正のためのキャリブレーション等）、もしくは、撮影条件が異なる複数の撮影モードで分割する。処理分割部４０からは、キャリブレーション処理を分割した複数の単位処理の情報（単位処理情報）が出力される。
【００４０】
処理割当部４２は、撮影履歴情報に基づいて、放射線画像の撮影終了から次の撮影開始までの放射線画像の撮影が行われていない空き時間の期間を計算し、単位処理情報で表されるそれぞれの単位処理が空き時間の期間内に実施可能かどうかを判定して、それぞれの単位処理の実施タイミングを空き時間の期間内に割り当てる。処理割当部４２からは、キャリブレーションの実施スケジュールが出力される。
【００４１】
処理割当部４２は、撮影履歴情報に基づいて、例えば、１日のうち撮影が実施される時間帯の分布状況を統計的に分析し、キャリブレーションの実施に適した時間帯を計算する。さらに、計算した時間帯の位置（早朝か終了間際か等）やその時間帯の長さ、時間の散らばり具合等の情報から、実施すべき単位処理を決定し、キャリブレーション実施スケジュールを生成する。
【００４２】
処理割当部４２は、例えば、吊り下げ装置２４または移動装置３２が動き始めたタイミング、もしくは、動作中を単位処理の実施タイミングに割り当てることができる。また、コンソール２０が放射線画像に対して画像処理を開始したタイミング、もしくは、画像処理中、コンソール２０が放射線画像の送受信を開始したタイミング、もしくは、送受信中等を単位処理の実施タイミングに割り当てることができる。
【００４３】
キャリブレーション実施スケジュールは、キャリブレーション処理の内容および撮影履歴情報から自動的に生成される。ただし、実績上、キャリブレーションに十分な空き時間がうまく取れない場合は撮影技師が単位処理の実施タイミングを任意に決めてもよいし、分割を諦めて従来通り一括でキャリブレーション処理を実施するキャリブレーション実施スケジュールが生成されるようにしてもよい。
【００４４】
また、単位処理が、必ずしも空き時間の期間に収まらないキャリブレーション実施スケジュールを生成することも可能である。例えば、単位処理に要するキャリブレーション時間が５分で、撮影間隔が４分の場合、撮影可能な状態となるまでに１分の待ち時間が生じるが、待ち時間を覚悟の上であれば、このような実施スケジュールを生成してもよい。ただし、被検者３６の位置決めを行う間の空き時間の期間に限っては、待ち時間が発生しないように実施スケジュールを生成することが望ましい。
【００４５】
また、処理割当部４２は、２以上の単位処理が空き時間の期間内に実施可能であると判断した場合に、この２以上の単位処理の実施タイミングを空き時間の期間内に割り当てることもできる。
【００４６】
続いて、処理実施部４４は、キャリブレーション実施スケジュールに従って、それぞれの単位処理を、それぞれの単位処理に割り当てられた空き時間の期間内の実施タイミングで実施する。
【００４７】
警告発生部４６は、キャリブレーション処理の実施中に、キャリブレーション処理の実施中であることを警告する。警告は、キャリブレーション処理の実施中であることを表すメッセージを表示してもよいし、音声で通知してもよい。警告として、実施中の単位処理が終了するまでの残り時間を表示、ないし、音声で通知することが望ましい。
【００４８】
続いて、コンソール２０は、被検者３６の放射線画像の撮影要求（撮影オーダ）をサーバ１４に受け取りに行き、受け取った撮影オーダをコンソール２０の撮影メニュー（撮影オーダのリスト）に登録する。その後、撮影技師により撮影メニューの中から選択された撮影オーダに対応する撮影条件を撮影装置１８に送信し、撮影の指示を行う。また、コンソール２０は、撮影装置１８で撮影された放射線画像の画像信号（画像データ）を受信し、受信した放射線画像に対して各種の画像処理を施した後、必要に応じて、画像処理後の放射線画像をプリントしたり、画像処理後の放射線画像の画像信号をサーバ１５へ送信する。
【００４９】
続いて、サーバ１４は、ＲＩＳ（放射線情報システム）やＨＩＳ（病院情報システム）等のサーバであり、図示していない端末装置から被検者３６の放射線画像の撮影依頼を受信し、各々の放射線撮影装置１２における放射線画像の撮影スケジュールを管理するものである。コンソール２０は、サーバ１４で受信された撮影依頼、つまり、被検者３６の放射線画像の撮影要求（撮影オーダ）を受け取りに行く。
【００５０】
最後に、サーバ１５は、ＰＡＣＳ（画像保存通信システム）等のサーバであり、コンソール２０から画像処理後の放射線画像の画像信号を受信して保存するものである。コンソール２０は、必要に応じて、サーバ１５に保存された放射線画像の画像信号を読み出し、例えば、コンソール２０の表示装置上に表示したり、プリントを作成したりすることができる。
【００５１】
次に、キャリブレーション処理について説明する。
まず、撮影装置１８で行われるキャリブレーションの種類について説明する。
【００５２】
撮影装置１８の制御装置３４では、撮影された放射線画像に対して、例えば、オフセット補正、欠陥補正（欠陥画素補正）、ゲイン補正、残像補正等を含む各種の補正処理が行われる。
【００５３】
ここで、オフセット補正は、放射線が照射されていない状態で放射線検出器３０の各画素（放射線検出素子）に流れる暗電流（ダーク電流）の違いが、撮影された放射線画像に与える影響を補正する処理である。
【００５４】
欠陥補正は、放射線検出器３０の画素のうち、放射線を検出することができない、もしくは、放射線の線量に対応した画像信号を生成することができない画素（欠陥画素）により撮影された画像信号を補正する処理である。
【００５５】
ゲイン補正は、放射線検出器３０の画素のうち、他の画素（正常画素）とは検出感度が異なり、受光した放射線の線量に比例した画像信号を出力することができない画素（ゲイン不良画素）により撮影された画像信号を補正する処理である。
【００５６】
放射線検出器３０では、放射線撮影の後、撮影された放射線画像の読み出し間隔が短い場合、前の放射線撮影時の放射線画像の残像（電荷の残り）が読み出される場合がある。残像補正は、前の放射線撮影時の放射線画像による残像の影響を補正する処理である。
【００５７】
なお、各々の補正処理の具体的な実施方法は各種のものが公知であり、本発明においても公知の実施方法を利用することができる。また、制御装置３４は、上記以外の補正処理を行うものであってもよい。
【００５８】
撮影装置１８では、制御装置３４で行われる補正処理に対応して、表１に示すように、各々の補正処理のための一連のキャリブレーション処理が行われる。
【００５９】
【表１】
0005713864.tif 000002
【００６０】
ゲイン補正および残像補正のためのキャリブレーションは、設置時および定期メンテナンス時等の特定の条件でのみ実施される（実施頻度が低い）ため、本発明に従って撮影装置１８で行われる一連のキャリブレーション処理に加えなくてもよい。以下、撮影装置１８では、一連のキャリブレーション処理として、図４に示すように、オフセット補正のためのキャリブレーションが行われた後、欠陥補正のためのキャリブレーションが行われるものとする。図４には、キャリブレーション処理の分割位置が矢印で示されている。
【００６１】
オフセット補正のためのキャリブレーションは、表１に示すように、設置時、定期メンテナンス時、装置起動時、および、起動中定期に実施される。このキャリブレーションは、撮影条件の異なる６種類の撮影モード（モード０〜５）を含み、１つの撮影モードごとに、放射線検出器３０から画像信号の読み出しが１６回行われる。また、図４に示すように、放射線検出器３０から画像信号が読み出される毎に、オフセット補正のためのオフセットデータが生成され、１６回分のオフセットデータの平均値がオフセット補正のための補正データとして使用される。
【００６２】
ここで、撮影モードの撮影条件は、例えば、放射線画像を撮影する場合に、放射線源２２から放射線を照射する時間の長さである。
【００６３】
また、欠陥補正のためのキャリブレーションは、表１に示すように、設置時、定期メンテナンス時、および、装置起動時に実施される。このキャリブレーションは、３種類の撮影モード（モード０〜２）を含み、１つの撮影モードごとに、放射線検出器３０から画像信号の読み出しが５回行われる。また、図４に示すように、放射線検出器３０から画像信号が読み出される毎に、欠陥補正のための欠陥補正データが生成され、５回分の欠陥補正データの平均値が欠陥補正のための補正データとして使用される。
【００６４】
つまり、本実施形態の場合、オフセット補正のためのキャリブレーションで１６回×６モード＝９６回、欠陥補正のためのキャリブレーションで５回×３モード＝１５回、合計で９６＋１５＝１１１回、放射線検出器３０から画像信号の読み出しが行われる。
【００６５】
従来は、補正処理のためのキャリブレーション処理として、例えば、この放射線検出器３０からの１１１回の画像信号の読み出しが、連続的に一括で行われていた。この場合、キャリブレーション処理の途中で放射線画像の撮影要求が受信されると、キャリブレーション処理が終了するまでの長い待ち時間の後に撮影が行われていた。もしくは、キャリブレーション処理を中止して撮影を行うことも考えられる。
【００６６】
これに対して、本実施形態では、キャリブレーションの種類、もしくは、撮影モードを単位処理として、キャリブレーション処理を複数の単位処理に分割し、それぞれの単位処理を２以上の異なる期間で実施する。
【００６７】
つまり、キャリブレーションの種類でキャリブレーション処理を分割する場合、オフセット補正のためのキャリブレーションと、欠陥補正のためのキャリブレーションとの２つの単位処理に分割する。また、撮影モードでキャリブレーション処理を分割する場合、オフセット補正のためのキャリブレーションを６つ、欠陥補正のためのキャリブレーションを３つ、合計で９つの単位処理に分割する。
【００６８】
このように、キャリブレーション処理を複数の単位処理に分割し、放射線画像の撮影が行われていない２以上の異なる期間に分けて実施することにより、キャリブレーション処理の途中で放射線画像の撮影要求を受信した場合であっても、単位処理が終了するまでの短時間の後に撮影を行うことができる。また、撮影終了後、撮影前に終了した単位処理の次の単位処理からキャリブレーション処理を続けて実施することができる。
【００６９】
なお、キャリブレーション処理の実施中に、撮影技師の判断により、キャリブレーション処理の実施を途中で中止し、放射線画像を撮影することもできる。この場合、放射線画像の撮影が終了した後、実施を中止した単位処理の最初から再度実施する。
【００７０】
また、補正処理のための補正データを生成するための演算処理を分割してもよい。本実施形態では、補正データ、つまり、オフセットデータおよび欠陥補正データの平均値を求めるために、例えば、加算処理、除算処理等が行われる。このような演算処理は、撮影終了後であっても、撮影前に終了した演算処理の次の演算処理から続けて実施することができる。
【００７１】
次に、図５に示すフローチャートを参照して、放射線撮影システム１０の動作を説明する。
【００７２】
本実施形態の放射線撮影システム１０では、同図のフローチャートに示すように、次の撮影オーダの受信前に１つ目の単位処理が実施される。撮影オーダの受信前は撮影が行われていない期間であるから、１つ目の単位処理を実施するための十分な期間がある。
【００７３】
この１つ目の単位処理の実施中に、コンソール２０は、被検者３６の放射線画像の撮影オーダをサーバ１４に受け取りに行き、受け取った撮影オーダをコンソール２０の撮影メニューに登録する。その後、撮影技師により、コンソール２０の撮影メニューの中から所望の撮影オーダが選択されると、次に撮影が行われる撮影オーダが決定される。これにより、コンソール２０は、選択された撮影オーダに対応する撮影条件を撮影装置１８の制御装置３４に対して送信し、撮影の指示を行う。
【００７４】
撮影オーダは１つ目の単位処理の実施中に受信されるため、撮影をすぐに開始することはできないが、１つ目の単位処理に要する時間は従来と比べて短いため、短い待ち時間で撮影可能な状態になる。
【００７５】
続いて、撮影技師が、コンソール２０で次の撮影メニューの内容を確認し、撮影準備を開始する。撮影準備として、例えば、被検者３６が呼び出され、撮影台２８の上に位置決めされる。また、放射線源２２の位置および高さが、撮影部位に応じて、吊り下げ装置２４により、手動で調節され、放射線の照射野が設定される。また、放射線検出器３０が、撮影部位に応じて、移動装置３２により、図２中左右方向の所定の位置に移動される。
【００７６】
この撮影準備中に２つ目の単位処理が実施される。撮影準備中は撮影が行われていない期間であるから、２つ目の単位処理を実施するための十分な期間がある。
【００７７】
なお、実施する単位処理の内容や単位処理の分割単位（処理時間の長さ）によっては、撮影準備が終了するまでに単位処理が終了しない場合がある。この場合、被検者３６が位置決めされた状態で待ち時間が発生することになり特に好ましくない。そのため、撮影準備が終了するまでに単位処理が終了しない場合には、現在処理中の単位処理を中止し、中止した単位処理の最初から撮影終了後に再実施することが望ましい。
【００７８】
ただし、実施中の単位処理が残り数秒で終了するのであれば、単位処理の終了を待って撮影を開始した方がよい場合も考えられる。従って、撮影技師が、警告発生部４６による警告に基づいて、単位処理を中止するか最後まで実施するかを判断してもよい。
【００７９】
また、過去実績（撮影履歴情報、経験等）からの予測時間に基づいて、撮影準備に要する時間よりも、実施しようとする単位処理に要する時間の方が長くなると考えられる場合、撮影準備中にその単位処理を実施しないようにしてもよい。
【００８０】
ここで、予測時間は、撮影準備に要する時間として想定される最短時間に合わせておけば、単位処理の実施中に撮影可能な状態となり待ち時間が発生する可能性を少なくすることができる。また、過去実績がなくても、例えば、同一の被検者３６でほぼ撮影条件を変更せずに繰り返し撮影する場合には次の撮影までの時間が短いため、繰り返しの撮影の途中で単位処理を行わないようにすることが望ましい。
【００８１】
単位処理が終了すると撮影可能な状態になる。前述のように、単位処理の実施中は、警告発生部４６により警告が発生されているが、これだけでなく、警告の発生期間中は撮影ができないようにロックをかけてもよい。
【００８２】
続いて、撮影技師は、装置および被検者３６の配置と撮影メニューとの対応を確認し、放射線画像の撮影を開始する。撮影技師の指示（放射線の曝射ボタン等の押下）に応じて、撮影装置１８では、放射線制御装置２６の制御により、放射線源２２から放射線が被検者３６に照射され、被検者３６を透過した放射線が放射線検出器３０で検出されて被検者３６の放射線画像が撮影される。
【００８３】
撮影が終了すると、撮影された放射線画像の画像信号が放射線検出器３０から制御装置３４に対して送信される。制御装置３４では、受信した放射線画像の画像信号に基づいて、撮影された放射線画像に、オフセット補正、欠陥補正等を含む各種の補正処理が施され、補正処理後の放射線画像の画像信号が制御装置３４からコンソール２０に対して送信される。
【００８４】
本実施形態では、一連のキャリブレーション処理を分割した各々の単位処理によって得られた最新（最後）の処理結果が記憶装置に記憶される。そして、放射線画像の撮影の前までに実施された単位処理よりも前の、一連のキャリブレーション処理に相当する複数の単位処理の処理結果が記憶装置から読み出され、読み出された複数の単位処理の処理結果を用いて、各種の補正処理が行われる。
【００８５】
コンソール２０では、受信した放射線画像の画像信号に基づいて、補正処理後の放射線画像に各種の画像処理が施される。画像処理後の放射線画像はコンソール２０の表示装置に表示され、撮影技師により確認される。そして、画像処理後の放射線画像に問題がなければ、必要に応じて、プリントが作成され、その画像信号がコンソール２０からサーバ１５に送信されて保存される。その後、次の撮影が開始される。
【００８６】
このコンソール２０での画像処理中に３つ目の単位処理が実施される。画像処理中は撮影が行われていない期間であるから、３つ目の単位処理を実施するための十分な期間がある。
【００８７】
放射線撮影システム１０では、撮影が実施されないタイミングでキャリブレーションを実施できるので、キャリブレーション処理待ちのために撮影ができない期間を短縮することができる。また、必要な単位処理のみを適切なタイミングで実施できるため、全てのキャリブレーション処理を待たずに、かつ精度の維持も十分な状態で撮影をすることが可能になる。また、他の放射線撮影装置との連動のないシステムでも、過去の実績を参照することにより、キャリブレーションのタイミングをより適切なものにすることができる。
【００８８】
次に、本実施形態との比較ために、図６に示すフローチャートを参照して、従来の放射線撮影システムの動作を簡単に説明する。
【００８９】
従来の放射線撮影システムでは、同図のフローチャートに示すように、次の撮影オーダの受信前に一連のキャリブレーション処理が一括で実施される。
【００９０】
このキャリブレーション処理の実施中に、コンソールは、撮影オーダをサーバに受け取りに行き、受け取った撮影オーダをコンソールの撮影メニューに登録する。その後、撮影技師により、コンソールの撮影メニューの中から所望の撮影オーダが選択されると、コンソールは、選択された撮影オーダに対応する撮影条件を制御装置に対して送信し、撮影の指示を行う。
【００９１】
撮影オーダはキャリブレーション処理の実施中に受信されるため、撮影をすぐに開始することができない。撮影オーダの受信タイミングによっては、撮影可能な状態になるまでに長い待ち時間を要する。
【００９２】
続いて、撮影技師が、コンソールで次の撮影メニューの内容を確認し、撮影準備を開始する。
【００９３】
撮影の準備は、主に人手で行われるために長時間を要するが、この撮影準備中に撮影が実施されることはない。
【００９４】
撮影準備が終了すると、撮影装置により被検者の放射線画像が撮影され、その画像信号が放射線検出器から制御装置に対して送信される。
【００９５】
制御装置では、受信した放射線画像の画像信号に基づいて、撮影された放射線画像に各種の補正処理が施され、その画像信号が制御装置からコンソールに対して送信される。
【００９６】
コンソールでは、受信した放射線画像の画像信号に基づいて、補正処理後の放射線画像に各種の画像処理が施される。画像処理後の放射線画像はコンソールの表示装置に表示され、撮影技師により確認される。そして、画像処理後の放射線画像に問題がなければ、必要に応じて、プリントが作成され、その画像信号がコンソールからＰＡＣＳ等のサーバに送信されて保存される。その後、次の撮影が開始される。
【００９７】
このコンソールでの画像処理、撮影技師による画像確認にも長時間を要するが、同様に、この処理および確認中に撮影が行われることはない。
【００９８】
このように、従来の放射線撮影システムでは、キャリブレーション処理の実施中に撮影要求が発生すると、キャリブレーション処理に要する時間が本実施形態の場合と比べて長いため、撮影可能な状態になるまでに長い待ち時間を必要とする。
【００９９】
なお、本実施形態のように、履歴記録部３８、処理分割部４０および処理割当部４２を各々の放射線撮影装置１２に設ける代わりに、放射線撮影システム１０全体で１つのリモートメンテナンス装置を設けてもよい。リモートメンテナンス装置は、履歴記録部３８、処理分割部４０および処理割当部４２と同等の役割を果たすものであり、病院内ネットワーク１６を経由して、複数の放射線撮影装置１２の撮影履歴情報を収集し、管理する。
【０１００】
すなわち、リモートメンテナンス装置は、全ての放射線撮影装置１２の撮影履歴情報を収集して記録し、キャリブレーション処理を複数の単位処理に分割し、撮影履歴情報に基づいて、放射線画像の撮影が行われていない空き時間の期間を計算し、それぞれの単位処理が空き時間の期間内に実施可能かどうかを判定して、それぞれの単位処理の実施タイミングを空き時間の期間内に割り当て、キャリブレーションの実施スケジュールを作成する。
【０１０１】
リモートメンテナンス装置は、キャリブレーション実施スケジュールの作成に当たって、１台の放射線撮影装置１２の撮影履歴情報だけでなく、所定の条件を満足する複数の装置の撮影履歴情報に基づいて空き時間の期間を計算してもよい。
【０１０２】
リモートメンテナンス装置は、作成したキャリブレーション実施スケジュールを放射線撮影装置１２の制御装置３４にアップロードし、制御装置３４の処理実施部４４は、アップロードされたキャリブレーション実施スケジュールに従ってキャリブレーションを実施する。
【０１０３】
その日の業務状況が過去実績に基づくキャリブレーション実施スケジュールと乖離する場合には、キャリブレーション処理を中止して撮影をすることも可能である。キャリブレーション処理が中止された場合、中止された単位処理の最初からやり直すことになるため、キャリブレーション実施スケジュールも再調整が必要となる。通常は、中止した単位処理の分だけ全ての単位処理を後ろにシフトし、実施順序は計画通り進める。
【０１０４】
また、放射線撮影装置１２の追加や運用ルールの変更などで、従来計画したキャリブレーション実施スケジュールでは最新の実施環境に不適合となる可能性がある。そのため、リモートメンテナンス装置は継続して撮影履歴情報を記録し、キャリブレーション実施スケジュールを更新する。
【０１０５】
また、放射線撮影システム１０は、キャリブレーション処理の実施、中止を制御する撮影制御装置を備えていてもよい。
【０１０６】
撮影制御装置は、例えば、キャリブレーション処理の実施中に、撮影制御装置が有する指示入力装置を介して入力された撮影指示に応じて、実施中のキャリブレーション処理を途中で中止し、放射線画像を撮影するように制御することができる。この場合、撮影制御装置は、放射線画像の撮影が終了した後、実施を中止した単位処理の最初から再度実施するように制御する。
【０１０７】
また、撮影制御装置は、放射線画像を撮影する複数の放射線撮影装置１２の放射線検出器３０のキャリブレーション処理の実施を制御することができる。
【０１０８】
例えば、撮影制御装置は、放射線画像の撮影開始予定時間とキャリブレーション処理の終了までの待ち時間との差が最も小さい放射線撮影装置１２で放射線画像の撮影が行われるように制御する。また、撮影制御装置は、同じ用途で使用されている複数の放射線撮影装置１２を、所定の時間帯に同時にキャリブレーション処理が実施されないように制御する。
【０１０９】
さらに、撮影制御装置は、例えば、第１放射線撮影装置１２ａの制御装置３４から第１キャリブレーション処理の実施状況を取得し、取得した第１キャリブレーション処理の実施状況を第２放射線撮影装置１２ｂの制御装置３４に供給することにより、第２放射線撮影装置１２ｂが第１放射線撮影装置１２ａにおけるキャリブレーション処理の実施状況を確認できるように制御することも可能である。
【０１１０】
次に、第２実施形態の放射線撮影システムについて説明する。
【０１１１】
第２実施形態の放射線撮影システムは、図１に示す第１実施形態の放射線撮影システム１０において、図２に示す制御装置３４の構成が異なるだけであるから、以下、図１，２に記載の各構成要素を参照して説明を続ける。
【０１１２】
図７は、第２実施形態の放射線撮影システムで用いられる制御装置の構成を表す一例のブロック図である。同図に示すように、本実施形態の制御装置３４は、欠陥画素情報保持部４８と、領域分割部５０と、処理実施部５２と、状況表示部５４とを備えている。同様に、同図では、説明を容易にする目的で、放射線画像の撮影を制御する部分の記載を省略し、キャリブレーション処理の実施を制御する部分だけを表している。
【０１１３】
欠陥画素情報保持部４８は、放射線検出器３０に含まれる欠陥画素の位置情報を保持する。欠陥画素の位置情報は、キャリブレーション処理（欠陥画素のキャリブレーション）を実施することにより取得される。欠陥画素ではない正常画素が経時とともに欠陥画素に変化することがあるため、欠陥画素情報保持部４８は、キャリブレーション処理の実施により取得された新たな欠陥画素の位置情報に応じて、欠陥画素情報保持部４８に保持された欠陥画素の位置情報を更新する。
【０１１４】
領域分割部５０は、放射線検出器３０により撮影された放射線画像を、キャリブレーション処理を順次実施するための複数の処理領域に分割する。例えば、領域分割部５０は、放射線画像を、図８に示すように、均等な大きさの複数の矩形の処理領域に分割する。図８は、放射線画像（つまり、キャリブレーション処理を実施すべき放射線検出器３０の受光面）を、均等な大きさの９個の矩形の処理領域に分割した例である。同図に示す星印（☆印）は欠陥画素の位置を表したものであり、以後同様である。
【０１１５】
また、領域分割部５０は、放射線画像を、それぞれが同じ大きさ、もしくは、それぞれが任意の大きさの複数の矩形の処理領域に分割してもよいし、矩形の処理領域ではなく、それぞれが任意の形状の処理領域に分割してもよい。また、放射線画像を、図９に示すように、それぞれが同数のライン、もしくは、それぞれが任意のラインを含む（所定数のラインの全ての画素を含む）複数の矩形の処理領域に分割してもよい。図９は、放射線画像を、同数のラインを含む均等な大きさの３個の矩形の処理領域に分割した例である。
【０１１６】
また、領域分割部５０は、処理領域内に新たな欠陥画素が発生した場合に、欠陥画素情報保持部４８により更新された欠陥画素の位置情報に基づいて、新たな欠陥画素を含む処理領域を、さらに、２以上の処理領域に分割する。領域分割部５０は、新たな欠陥画素を含む領域を、例えば、図１０に示すように、欠陥画素を含む処理領域と、欠陥画素を含まない処理領域とに分割する。これにより、高頻度でキャリブレーション処理を実施すべき、欠陥画素を含む処理領域を小さくし、その処理量を大幅に削減することができる。
【０１１７】
続いて、処理実施部５２は、欠陥画素情報保持部４８に保持された欠陥画素の位置情報に基づいて、領域分割部５０により分割された複数の処理領域のうち、欠陥画素を含む処理領域よりも、欠陥画素を含まない処理領域に対するキャリブレーション処理の実施頻度を低く設定し、設定したキャリブレーション処理の実施頻度に従って、それぞれの処理領域について、キャリブレーション処理を順次実施する。
【０１１８】
欠陥画素を含まない処理領域内に新たな欠陥画素が発生するよりも、欠陥画素を含む処理領域において、欠陥画素の周囲の正常画素が経時とともに欠陥画素に変化する方が高頻度に発生すると考えられる。従って、処理実施部５２は、例えば、欠陥画素を含む処理領域に対するキャリブレーション処理の実施頻度が、２０回／日の場合に、欠陥画素を含まない処理領域に対するキャリブレーション処理の実施頻度を、５回／日のように、欠陥画素を含む処理領域に対して相対的に低く設定する。
【０１１９】
欠陥画素を含まない処理領域に対するキャリブレーション処理の実施頻度を低く設定することにより、放射線画像の全領域について均等にキャリブレーション処理を行う場合よりも処理量（つまり、処理時間）を減らすことができる。ただし、処理実施部５２は、欠陥画素を含まない処理領域に対するキャリブレーション処理の実施頻度を低く設定した場合でも、欠陥画素を含まない処理領域内に新たな欠陥画素が発生した場合には、その処理領域に対するキャリブレーション処理の実施頻度を高く設定し直す。
【０１２０】
また、放射線検出器３０は、中央部よりも周辺部（さらに、辺縁部）の方が水分（電蝕）や静電気（放電破壊）などの影響で破壊されやすい。つまり、中央部の処理領域は欠陥画素が比較的少なく、周辺部の処理領域は欠陥画素が比較的多い。従って、図１１に示すように、放射線画像を、中央部の処理領域と、周辺部の処理領域とに分割し、中央部の処理領域よりも周辺部の処理領域に対するキャリブレーション処理の実施頻度を高く設定することが望ましい。また、キャリブレーションの実施順序は、離れて配置されている処理領域よりも、連続して配置されている処理領域を優先することが望ましい。
【０１２１】
最後に、状況表示部５４は、各々の処理領域について、キャリブレーション処理の実施状況を表示する。実施状況の表示方法は何ら限定されないが、例えば、各々の処理領域について、キャリブレーション処理の実施後の経過時間が長くなるほど、白色（経過時間が短い）から黒色（経過時間が長い）にグラフィカルに変化させて表示する。これにより、撮影技師は、キャリブレーション処理が、放射線画像を複数の処理領域に分割して実施されていることや、その実施の進捗状況を確認することができる。
【０１２２】
次に、本実施形態の放射線撮影システムの動作を説明する前に、比較例として、従来の放射線撮影システムの動作を説明する。
【０１２３】
図１２は、従来の放射線撮影システムにおいて、キャリブレーション処理が実施される様子を表した概念図である。同図に示すように、従来のキャリブレーション処理は、縦Ｍ画素×横Ｎ画素からなる放射線画像（つまり、放射線検出器３０）の全領域（１）について一括で実施される。
【０１２４】
従って、キャリブレーション処理の開始から終了までに長時間を要し、キャリブレーション処理の途中で撮影要求が発生すると、キャリブレーション処理が終了して撮影可能な状態となるまでに長時間を要する場合があった。
【０１２５】
一方、撮影を行うために、やむなくキャリブレーション処理を途中で中止すると、放射線画像の全領域（１）についてキャリブレーション処理が未実施の状態となる。この場合、放射線画像の品質が低下するとともに、撮影終了後に、放射線画像の全領域（１）についてキャリブレーション処理を最初からやり直す必要があった。
【０１２６】
次に、本実施形態の放射線撮影システムの動作を説明する。
【０１２７】
続いて、図１３は、第２実施形態の放射線撮影システムにおいて、キャリブレーション処理が実施される様子を表した概念図である。同図に示すように、本実施形態のキャリブレーション処理は、図１２に示すものと同じ大きさの縦Ｍ画素×横Ｎ画素からなる放射線画像の全領域を、例えば、縦Ｍ／２画素×横Ｎ／２画素からなる４つの処理領域（１）〜（４）に分割し、それぞれの処理領域（１）〜（４）について順次実施される。
【０１２８】
すなわち、本実施形態の場合、領域分割部５０により、放射線画像が、図１３に示すように、均等な大きさの４つの矩形の処理領域（１）〜（４）に分割される。
【０１２９】
そして、処理実施部５２により、欠陥画素情報保持部４８に保持された欠陥画素の位置情報に基づいて、領域分割部５０により分割された４つの処理領域（１）〜（４）のうち、欠陥画素を含む処理領域よりも、欠陥画素を含まない処理領域に対するキャリブレーション処理の実施頻度が低く設定され、設定されたキャリブレーション処理の実施頻度に従って、それぞれの処理領域（１）〜（４）について、設定された実施頻度に従ってキャリブレーション処理が順次実施される。
【０１３０】
このように、欠陥画素を含まない処理領域に対するキャリブレーション処理の実施頻度を低く設定することにより、放射線画像の全領域について均等にキャリブレーション処理を行う場合よりも処理量（つまり、処理時間）を減らすことができる。
【０１３１】
キャリブレーション処理の実施中は、状況表示部５４により、各々の処理領域について、キャリブレーション処理の実施状況が表示される。これにより、撮影技師は、キャリブレーション処理の実施の進捗状況を確認することができる。
【０１３２】
キャリブレーション処理の実施が終了すると、欠陥画素情報保持部４８は、キャリブレーション処理の実施により取得された新たな欠陥画素の位置情報に応じて、欠陥画素情報保持部４８に保持された欠陥画素の位置情報を更新する。
【０１３３】
また、キャリブレーション処理の実施が終了すると、領域分割部５０は、処理領域内に新たな欠陥画素が発生した場合に、欠陥画素情報保持部４８により更新された欠陥画素の位置情報に基づいて、新たな欠陥画素を含む処理領域を、例えば、欠陥画素を含む処理領域と、欠陥画素を含まない処理領域とに分割する。これにより、次回のキャリブレーション処理の実施時に、欠陥画素を含む処理領域を小さくし、その処理量を大幅に削減することができる。
【０１３４】
本実施形態の場合、それぞれの処理領域（１）〜（４）のキャリブレーション処理は、放射線画像の全領域を一括でキャリブレーション処理する場合と比べて短時間で終了する。そのため、キャリブレーション処理の実施中に撮影要求が発生した場合でも、従来と比べて短時間でキャリブレーション処理が終了して撮影可能な状態となる。つまり、撮影までの待ち時間を短縮することができる。また、一度に処理するデータ量が少ないので、処理能力の小さい放射線撮影装置でも短時間で実施可能である。
【０１３５】
一方、撮影を行うために、キャリブレーション処理を途中で中止すると、中止した処理領域についてはキャリブレーション処理が未実施の状態となるが、キャリブレーション処理が既に終了した処理領域については実施済みの状態となる。そのため、従来よりも高品質な放射線画像を撮影することができる。また、既にキャリブレーション処理が終了した処理領域には被写体（関心領域）を置いて撮影することが可能である。さらに、放射線画像の全領域についてキャリブレーション処理を最初からやり直す必要はなく、中止した処理領域から再開することができる。
【０１３６】
なお、第１実施形態の放射線撮影システム１０では、キャリブレーション処理を時間的に複数の単位処理に分割して順次実施する場合を例示し、第２実施形態の放射線撮影システムでは、放射線画像を空間的に複数の処理領域に分割して順次実施する場合を例示したが、両者を組み合わせて、それぞれの処理領域について、それぞれの単位処理を順次実施することもできる。
【０１３７】
例えば、放射線画像を、キャリブレーション処理を実施可能な空き時間の長さに対応する大きさの処理領域に分割してもよい。例えば、放射線画像を、空き時間の期間内に、一連のキャリブレーション処理が終了する大きさの処理領域に分割する。また、放射線画像を、放射線撮影装置１２の処理能力に対応する大きさの処理領域に分割してもよい。例えば、放射線画像を、放射線撮影装置１２の演算速度や主記憶領域のメモリ量に対応する大きさの処理領域に分割する。
【０１３８】
本発明に係るキャリブレーション処理は、それぞれの処理領域のキャリブレーション処理の実施で一度に処理するデータ量が少ないので、処理能力が小さい放射線撮影装置でも短時間でキャリブレーション処理を実施することが可能である。また、放射線撮影装置の処理能力や利用環境に応じて適切な大きさの領域分割が可能となり、キャリブレーション対象の処理領域や実施回数などを適切に決定することができる。
【０１３９】
また、分割した処理領域ごとに、キャリブレーション処理（ないし、単位処理）の実施タイミング（実施スケジュール、実施順序）を設定することも可能である。
【０１４０】
例えば、撮影技師（放射線撮影装置のユーザ）が、処理領域とその実施タイミングの指示を、キーボードやマウス等の入力装置を介して入力し、入力された指示に従って、処理領域や実施タイミングを設定してもよい。この場合、例えば、同じ処理領域のキャリブレーション処理を連続して実施できないように制限したり、複数の処理領域のうち、一度もキャリブレーション処理の実施が指示されていない処理領域が残っている場合には設定を完了できないようにすることが望ましい。
【０１４１】
また、少なくとも、分割した処理領域数分のキャリブレーション処理の実施の実績を記録しておき、前回のキャリブレーション処理の実施から最も時間が経過している処理領域に対してキャリブレーション処理を実施してもよい。これは、例えば、キャリブレーション処理の実施の実績を記録しなくても、複数の処理領域について、単純にキャリブレーション処理を実施する順番をあらかじめ決めておき、順次キャリブレーション処理を実施することを繰り返し行うことでも実現できる。
【０１４２】
また、処理領域別に実施頻度を設定してもよい。この場合、周辺部には注目領域（撮影対象物）が配置されにくい、放射線検出器３０の所定の角か辺を基準に照射野が決定される運用等に基づいて、被検者が配置されやすい処理領域を優先的に実施可能とすることが望ましい。また、過去のトリミング実績と連動させて、周辺部の利用頻度が高い場合に警告したり、コリメータと連動させて、周辺部まで照射範囲に設定される場合に警告することが望ましい。
【０１４３】
本発明は、基本的に以上のようなものである。
以上、本発明について詳細に説明したが、本発明は上記実施形態に限定されず、本発明の主旨を逸脱しない範囲において、種々の改良や変更をしてもよいのはもちろんである。
【符号の説明】
【０１４４】
１０  放射線撮影システム
１２  放射線撮影装置
１４、１５  サーバ
１６  病院内ネットワーク
１８  撮影装置
２０  コンソール
２２  放射線源
２４  吊り下げ装置
２６  放射線制御装置
２８  撮影台
３０  放射線検出器
３２  移動装置
３４  制御装置
３６  被検者
３８  履歴記録部
４０  処理分割部
４２  処理割当部
４４  処理実施部
４６  警告発生部
４８  欠陥画素情報保持部
５０  領域分割部
５２  処理実施部
５４  状況表示部
【図１】
0005713864.tif 000003
【図２】
0005713864.tif 000004
【図３】
0005713864.tif 000005
【図４】
0005713864.tif 000006
【図５】
0005713864.tif 000007
【図６】
0005713864.tif 000008
【図７】
0005713864.tif 000009
【図８】
0005713864.tif 000010
【図９】
0005713864.tif 000011
【図１０】
0005713864.tif 000012
【図１１】
0005713864.tif 000013
【図１２】
0005713864.tif 000014
【図１３】
0005713864.tif 000015